(57)【要約】【課題】的確に撮影範囲を指示することによって、所望する写真が取得可能な遺体写真撮影における撮影範囲指示具ならびに遺体写真撮影方法を提供する。【解決手段】長さが可変の縦枠材１１および横枠材１２からなる矩形状の枠体１であり、対向する一対の縦枠材１１および横枠材１２はそれぞれ同期して長さが可変するものである。縦枠材１１および横枠材１２はそれぞれ、外枠材１１１，１２１と、外枠材１１１，１２１を長さ方向に出没自在に摺動する内枠材１１２，１２２とからなり、縦枠材１１の外枠材１１１は、平面視Ｌ字状の角材１３１を挟んで、横枠材１２の内枠材１２２と、縦枠材１１の内枠材１１２は、平面視Ｌ字状の角材１３２を挟んで、横枠材１２の外枠材１２１と接合されている。【選択図】図２
2007264120.tif 000002
【特許請求の範囲】
【請求項１】
長さが可変の枠材からなる矩形状の枠体であり、対向する一対の枠材はそれぞれ同期して長さが可変するものであることを特徴とする遺体写真撮影における撮影範囲指示具。
【請求項２】
前記枠材は、外枠材と、該外枠材を長さ方向に出没自在に摺動する内枠材とからなり、
前記外枠材は、Ｌ字状の角材を挟んで、隣接する枠材の内枠材と接合されていることを特徴とする請求項１記載の遺体写真撮影における撮影範囲指示具。
【請求項３】
所望する遺体の撮影部分が明確に写るように決定された撮影範囲と、長さが可変の枠材からなる矩形状の枠体が示す範囲とが一致するように、前記枠体の対向する一対の枠材を同期させながら伸長または縮小させて前記枠体の大きさを調整する工程と、
前記撮影範囲と前記大きさを調整した枠体が示す範囲とが一致するように、遺体の上方に前記大きさを調整した枠体を重ね合わせる工程と、
前記大きさを調整した枠体が示す範囲が写真の撮影可能範囲と重なるように、前記遺体との距離または撮影装置のレンズの焦点距離を調整する工程と、
を含む遺体写真撮影方法。
【発明の詳細な説明】
【技術分野】
【０００１】
本発明は、死体検案と法医解剖において、写真撮影者に遺体の写真撮影範囲を示す撮影範囲指示具ならびに遺体写真撮影方法に関する。
【背景技術】
【０００２】
事件、事故、自殺などで死亡した人々には、医師法及び刑事訴訟に基づく死体検案が行われる。また、必要に応じて、刑事訴訟法または死体解剖保存法に基づいた法医解剖が行われる。死体検案と法医解剖では、死因などの診断や裁判における重要な証拠資料として用いるために、遺体の創傷などの写真を撮影する必要がある。
【０００３】
実際の死体検案と法医解剖では、検案や解剖を担当する医師と写真撮影者は別の者であり、担当医師が写真撮影者に撮影部分を口頭で指示して写真が撮影されている。撮影装置であるカメラには、例えば、特許文献１に記載されているようなファインダー装置が設けられており、写真撮影者はカメラのファインダーを覗いて、担当医師に指定された撮影部分が撮影範囲に収まるように、レンズのズーム機能などで焦点距離を調整して写真を撮影している。
【０００４】
【特許文献１】特開平６−１８０４６８号公報
【発明の開示】
【発明が解決しようとする課題】
【０００５】
しかしながら、上記従来の方法によれば、担当医師と写真撮影者とは別の者であるため、担当医師が写真撮影者に撮影部分を口頭で指示していても、担当医師の意図が写真撮影者に十分に伝わらず、被写体が予想外に大きすぎたりまたは小さすぎたりする場合がある。このような場合、撮影された写真は、死因などの診断根拠や裁判での証拠として不十分なものとなり、死因の診断や裁判において支障を来してしまう。
そこで、本発明は、的確に撮影範囲を指示することによって、所望する写真が確実に取得可能な遺体写真撮影における撮影範囲指示具ならびに遺体写真撮影方法を提供することを目的とする。
【課題を解決するための手段】
【０００６】
本発明の遺体写真撮影における撮影範囲指示具は、長さが可変の枠材からなる矩形状の枠体であり、対向する一対の枠材はそれぞれ同期して長さが可変するものであることを特徴とする。
【０００７】
まず、担当医師は、遺体撮影において、遺体の創傷などがもっとも明確に写るよう、写真に収めたい範囲を決め、この範囲と同じ大きさとなるよう矩形状の枠体を構成する枠材の長さを調整する。そして、撮影したい範囲と枠体が示す範囲とが一致するように遺体の上方に枠体を重ね合わせる。写真撮影者は、この枠体が示す範囲が写真の撮影範囲と重なるように、レンズのズーム機能などで焦点距離を調整して写真を撮影する。本発明の撮影範囲指示具は、枠材の長さを調整する際に、対向する一対の枠材同士の長さが同期して変わることから、枠体は常に、写真の形状と同じ形状である矩形状を維持することができる。従って、複数箇所の写真を撮影する場合において、枠体の大きさを逐一変更することになっても、担当医師は、手間をかけることなく、すばやく写真撮影者に撮影範囲を指示することができ、また、写真撮影者は、担当医師の意図を的確に把握することができる。
【０００８】
また、本発明の遺体写真撮影における撮影範囲指示具は、枠材を、外枠材と、該外枠材を長さ方向に出没自在に摺動する内枠材とから構成し、外枠材を、Ｌ字状の角材を挟んで、隣接する枠材の内枠材と接合したものとすることができる。
【０００９】
上記構成により、対向する一対の枠材を持って、隣接する枠材の長さ方向に引っ張れば、隣接する一対の枠材の内枠材が外枠材をそれぞれ摺動して、外枠材の長さ方向に突出した状態となる。残りの一対の枠材においても同様にすることで、枠体全体の大きさを、手間をかけることなく容易に大きくすることができる。また、枠体全体の大きさを小さくする場合は、上記と逆の操作を行えば、同様に手間をかけることなく容易に枠体を小さくすることができる。
【００１０】
本発明の遺体写真撮影方法は、所望する遺体の撮影部分が明確に写るように決定された撮影範囲と、長さが可変の枠材からなる矩形状の枠体が示す範囲とが一致するように、枠体の対向する一対の枠材を同期させながら伸長または縮小させて枠体の大きさを調整する工程と、撮影範囲と大きさを調整した枠体が示す範囲とが一致するように、遺体の上方に大きさを調整した枠体を重ね合わせる工程と、大きさを調整した枠体が示す範囲が写真の撮影可能範囲と重なるように、遺体との距離または撮影装置のレンズの焦点距離を調整する工程と、を含むことを特徴とする。
【００１１】
上記方法により、担当医師は、写真撮影者に明確に撮影範囲を指示することができ、また、写真撮影者は、担当医師が遺体の撮影したい部分を的確に把握することができるので、所望する写真を確実に取得することができる。
【発明の効果】
【００１２】
本発明によれば、担当医師は写真撮影者に的確に撮影範囲を指示することができ、また、写真撮影者は的確に担当医師の意図を把握することができるので、死因などの診断根拠や裁判での証拠となる写真を確実に取得することができる。
【発明を実施するための最良の形態】
【００１３】
以下、図面を用いて本発明の実施の形態の遺体写真撮影における撮影範囲指示具を説明する。図１は、本実施の形態の遺体写真撮影における撮影範囲指示具の縮小時の平面図である。図２は、図１の撮影範囲指示具の拡大時の平面図である。
【００１４】
図１および図２に示すように、本実施の形態における撮影範囲指示具は、一対の縦枠材１１と一対の横枠材１２からなる矩形状の枠体１である。この枠体１は、収縮時において、縦約２７ｃｍ、横３３ｃｍの大きさを呈している。
【００１５】
図２に示すように、縦枠材１１は、外枠材１１１と、外枠材１１１の内側を摺動可能な内枠材１１２とから構成されている。外枠材１１１は中空の角材であり、写真撮影時に血液などが付着しても洗浄が容易なようにステンレス製の材料で形成されている。また、外枠材１１１の内側には、内枠材１１２が摺動可能な案内溝（図示せず）が形成されている。内枠材１１２もステンレス製の角材であり、外枠材１１１に形成されている案内溝を摺動可能な摺動部（図示せず）を有している。外枠材１１１の案内溝は、内枠材１１２の出没方向となる先端部より少し手前までしか形成されておらず、内枠材１１２の摺動部が案内溝の端部まで摺動した状態が、縦枠材１１の最長の長さとなる。なお、本実施の形態では、縦枠材１１は最長で４０ｃｍまで伸長させることが可能となっている。
【００１６】
また、横枠材１２も縦枠材１１と同様に、外枠材１２１と、外枠材１２１の内側を摺動可能な内枠材１２２とから構成されている。本実施の形態では、横枠材１２は最長で５２ｃｍまで伸長させることが可能となっている。
【００１７】
縦枠材１１と横枠材１２とは、平面視Ｌ字状の角材１３を介して接合されている。図１および図２に示すように、４つの角材１３のうち、２つの角材１３１は、一辺が、縦枠材１１の外枠材１１１の外側に、もう一辺が、横枠材１２の内枠材１２２の内側に配置された状態で、ネジ１４により固定されている。また、もう２つの角材１３２は、一辺が、縦枠材１１の内枠材１１２の内側に、もう一辺が、横枠材１２の外枠材１２１の外側に配置された状態で、ネジ１４により固定されている。このように縦枠材１１と横枠材１２を接合することで、枠体１の大きさを拡大したり縮小したりする場合、縦枠材１１同士、または、横枠材１２同士が、同期してその長さを変えることができる。これにより、枠体１は常に矩形状を維持することができる。
【００１８】
次に、図３に基づいて、本実施の形態における遺体写真撮影における撮影範囲指示具の使用方法について説明する。図３は、本実施の形態の遺体写真撮影における撮影範囲指示具の使用状態を示す模式図である。
【００１９】
図３に示すように、本実施の形態における遺体写真撮影における撮影範囲指示具は、遺体Ｃの検案や解剖を担当する医師Ａが使用する。医師Ａは、死因などの診断や裁判における重要な証拠資料となるよう、遺体Ｃの創傷などの撮影部分を検討する。そして、所望とする撮影部分が明確に写るよう写真に収める範囲を決め、この範囲と同じ大きさとなるよう枠体１の大きさを調整することとなる。
【００２０】
枠体１を拡大させる場合、医師Ａは、例えば、枠体１の縦枠材１１を持ち、横方向に引っ張る。すると、上下の横枠材１２の内枠材１２２が、それぞれ外枠材１２１を摺動して、同期した状態で外枠材１２１から突出する。所望とする大きさまで横枠材１２を伸長させた後、次に、横枠材１２を持ち、縦方向に引っ張る。すると、左右の縦枠材１１の内枠材１１２が、それぞれ外枠材１１１を摺動して、同期した状態で外枠材１１１から突出する。
【００２１】
枠体１を縮小させる場合、枠体１の縦枠材１１を持ち、枠体１の中央側へ押し戻せば、上下の横枠材１２の内枠材１２２が、それぞれ外枠材１２１を摺動して、同期した状態で外枠材１２１へ没入する。また、同様に横枠材１２を持ち、枠体１の中央側へ押し戻せば、左右の縦枠材１１の内枠材１１２が、それぞれ外枠材１１１を摺動して、同期した状態で外枠材１１１へ没入する。
【００２２】
上記のようにして、枠体１の大きさを調整したら、医師Ａは、所望する撮影範囲に一致するように枠体１を持って遺体の上方に配置し、写真撮影者Ｂに示す。写真撮影者Ｂは、この枠体１が示す範囲が写真の撮影範囲と重なるように、レンズのズーム機能などで焦点距離を調整して写真を撮影する。
【００２３】
このように、本実施の形態の遺体写真撮影における撮影範囲指示具によれば、上下の横枠材１２、および左右の縦枠材１１が、同期した状態で伸長するので、枠体１の大きさを調整する際に、枠体１の形状を、写真の形状と同じ矩形状に保つことができる。従って、複数箇所の写真を撮影する場合において、枠体の大きさを逐一変更することになっても、手間をかけることなく、すばやく、写真撮影者Ｂに所望する写真の撮影範囲を指示することができる。また、写真撮影者Ｂも、写真の形状と同じ矩形状の枠体１を医師Ａが持って示すことで、カメラのファインダーに示される写真撮影可能範囲と医師Ａによって示される枠体１とを合わせるだけで、医師Ａが遺体のどの部分を撮影しようとしているかを的確に把握することができる。これにより、医師Ａと写真撮影者Ｂとの間における意思疎通が的確に行われ、死因などの診断根拠や裁判での証拠となる写真を確実に取得することができる。
【００２４】
なお、縦枠材１１の外枠材１１１および横枠材１２の外枠材１２１の内側に複数の簡易ストッパーを設け、それぞれの内枠材１１２，１２２を段階的に伸長させたり収縮させたりするようにしてもよい。
【００２５】
以上、本実施の形態の遺体写真撮影における撮影範囲指示具について説明したが、本発明の遺体写真撮影における撮影範囲指示具は、上記実施の形態に限らず、縦枠材同士、また横枠材同士を同期して伸長させることができれば、内枠材が外枠材を摺動する手段としてはどのような形態であってもよい。
【産業上の利用可能性】
【００２６】
本発明は、遺体写真撮影における撮影範囲指示具ならびに遺体写真撮影方法として用いることができる。特に、写真撮影者に的確に撮影範囲を指示することができるので、医師が所望する写真を確実に取得することができる撮影範囲指示具ならびに遺体写真撮影方法として好適に用いることができる。
【図面の簡単な説明】
【００２７】
【図１】本実施の形態の遺体写真撮影における撮影範囲指示具の縮小時の平面図である。
【図２】図１の撮影範囲指示具の拡大時の平面図である。
【図３】本実施の形態の遺体写真撮影における撮影範囲指示具の使用状態を示す模式図である。
【符号の説明】
【００２８】
１  枠体
１１  縦枠材
１１１，１２１  外枠材
１１２，１２２  内枠材
１２  横枠材
１３，１３１，１３２  角材
１４  ネジ
【図１】
2007264120.tif 000003
【図２】
2007264120.tif 000004
【図３】
2007264120.tif 000005